(57)【要約】【課題】足場が簡便に建物に固定されうる足場固定具２の提供。【解決手段】足場固定具２は、ブラケット４とクランプ６とを備えている。ブラケット４は、ベランダの側壁に固定される。ブラケット４は、主部８、第一レッグ１０、第二レッグ１２、ボルト１４、ナット１６及びジョー１８を有している。主部８は、第一装着部２０及び第二装着部２４を有している。第一装着部２０及び第二装着部２４のそれぞれには、ナット２２、２４が接合されている。クランプ６は、第一爪３６、第二爪３８、軸ピン４０、第一シャフト４２、第一シリンダー４６、第二シリンダー４８及び通しボルト５０を有している。第二シリンダー４８は、第二シャフト６２を備えている。この第二シャフト６２の外周面には、雄ネジが螺刻されている。この第二シャフト６２は、第一装着部２０に螺入されうる。第二シャフト６２は、第二装着部２４にも螺入されうる。【選択図】図１
2011144495.tif 000002
【特許請求の範囲】
【請求項１】
建物に固定されるブラケットと、この建物の周囲に構築される足場のパイプを把持するクランプとを備えており、
上記ブラケットが、長尺の主部を備えており、
上記主部が、その一端に第一装着部を有し、かつその他端に第二装着部を有しており、
上記クランプが、第一装着部及び第二装着部のいずれにも装着されうる足場固定具。
【請求項２】
建物に固定されるブラケットと、この建物の周囲に構築される足場のパイプを把持するクランプとを備えており、
上記ブラケットが、建物に固定されるための固定手段を備えており、
この固定手段の操作が足場に立つ作業者によってなされうる足場固定具。
【請求項３】
建物のベランダの側壁を挟持することでこのベランダに固定されるブラケットと、上記ブラケットに装着されるクランプと、このクランプに把持されるパイプとを備えた足場構造体。
【発明の詳細な説明】
【技術分野】
【０００１】
本発明は、足場を建物に固定するための用具に関する。
【背景技術】
【０００２】
建物に外壁塗装等の補修がなされるとき、足場が構築される。この足場は、縦パイプと横パイプとが組み合わされて構築される。足場を建物に固定する目的で、クランプが用いられている。このクランプは、一対の爪を備えている。これら爪によって、縦パイプが把持される。建物の外壁には、ドリルによって穴が開けられる。この穴に、クランプのシャフトが差し込まれる。シャフトは、接着剤や各種アンカーによって外壁に接合される。このクランプは、「壁つなぎ」と称されている。壁つなぎの一例が、実開平６−７１７６０号公報に開示されている。
【先行技術文献】
【特許文献】
【０００３】
【特許文献１】実開平６−７１７６０号公報
【発明の概要】
【発明が解決しようとする課題】
【０００４】
従来の壁つなぎが用いられるとき、壁に穴が開けられるので、壁にダメージを与える。この穴を開ける作業には、労力を要する。穴開け時には、騒音が発生する。しかも、穴を埋め戻す作業が必要である。この作業にも労力を要する。
【０００５】
本発明の目的は、足場が簡便に建物に固定されうる足場固定具の提供にある。
【課題を解決するための手段】
【０００６】
本発明に係る足場固定具は、建物に固定されるブラケットと、この建物の周囲に構築される足場のパイプを把持するクランプとを備える。このブラケットは、長尺の主部を備える。この主部は、その一端に第一装着部を有し、かつその他端に第二装着部を有する。クランプは、第一装着部及び第二装着部のいずれにも装着されうる。
【０００７】
本発明に係る足場構造体は、建物のベランダの側壁を挟持することでこのベランダに固定されるブラケットと、このブラケットに装着されるクランプと、このクランプに把持されるパイプとを備える。
【発明の効果】
【０００８】
本発明に係る足場固定具は、２つの装着部を備えている。従って、建物の外からでも内からでも、ブラケットを建物に固定する作業がなされうる。
【０００９】
他の観点によれば、本発明に係る足場固定具は、建物に固定されるブラケットと、この建物の周囲に構築される足場のパイプを把持するクランプとを備える。このブラケットは、建物に固定されるための固定手段を備える。この固定手段の操作は、足場に立つ作業者によってなされうる。
【００１０】
本発明に係る足場構造体は、ベランダの側壁を挟持することでブラケットがベランダに取り付けられうる。この足場構造体では、外壁への穿孔は不要である。この足場構造体は、構築及び解体が容易になされうる。
【図面の簡単な説明】
【００１１】
【図１】図１は、本発明の一実施形態に係る足場固定具が示された分解正面図である。
【図２】図２は、図１の足場固定具のクランプが示された分解平面図トである。
【図３】図３は、図１の足場固定具が用いられた足場構造体が示された正面図である。
【図４】図４は、図１の足場固定具が用いられた他の足場構造体が示された正面図である。
【図５】図５は、図１の足場固定具が用いられた他の足場構造体が示された平面図である。
【図６】図６は、本発明の他の実施形態に係る足場固定具が示された分解正面図である。
【発明を実施するための形態】
【００１２】
以下、適宜図面が参照されつつ、好ましい実施形態に基づいて本発明が詳細に説明される。
【００１３】
図１に示された足場固定具２は、ブラケット４とクランプ６とを備えている。
【００１４】
ブラケット４は、主部８、第一レッグ１０、第二レッグ１２、ボルト１４、ナット１６及びジョー１８を有している。
【００１５】
主部８は、金属材料からなる。典型的には、主部８は鋼からなる。主部８は、長尺である。主部８は、筒状である。図１における左側端において、主部８は、第一装着部２０を有している。この第一装着部２０では、溶接によりナット２２が接合されている。図示されていないが、ナット２２には、雌ネジが螺刻されている。図１における右側端において、主部８は、第二装着部２４を有している。この第二装着部２４では、溶接によりナット２６が接合されている。図示されていないが、ナット２６の内周面２６には、雌ネジが螺刻されている。図１では、ナット２２が主部８の内部に位置しているが、ナット２２が主部８の外部に位置してもよい。図１では、ナット２６が主部８の内部に位置しているが、ナット２６が主部８の外部に位置してもよい。
【００１６】
第一レッグ１０も、鋼からなる。第一レッグ１０は、主部８と一体とされている。第一レッグ１０は、主部８の左端近傍において、この主部８から下方に垂下している。
【００１７】
第二レッグ１２も、鋼からなる。第二レッグ１２は、第一レッグ１０とは所定の間隔を隔てて、主部８に装着されている。第二レッグ１２は、主部８から下方に垂下している。
【００１８】
第二レッグ１２の長さＬ２は、第一レッグ１０の長さＬ１よりも小さい。第二レッグ１２は、孔２８を有している。孔２８は、図１における左右方向において、第二レッグ１２を貫通している。図示されていないが、孔２８の内周面３０には、雌ネジが螺刻されている。
【００１９】
ボルト１４は、孔２８に螺入されている。ボルト１４は、シャンク３２とヘッド３４とを有している。シャンク３２には、雄ネジが螺刻されている。ヘッド３４は、右側面視において、正六角形である。
【００２０】
ナット１６の内主面には、雌ネジが螺刻されている。この雌ネジに、ボルト１４が螺入されている。
【００２１】
ジョー１８は、円盤状である。ジョー１８は、ボルト１４の先端に取り付けられている。ジョー１８は、第一レッグ１０と第二レッグ１２との間に位置している。
【００２２】
レンチ等の工具がヘッド３４にあてがわれ、ボルト１４が回される。ボルト１４の正回転によって、このボルト１４は第二レッグ１２に対して前進する。ボルト１４の前進により、ジョー１８が第一レッグ１０に近づく。ボルト１４の逆回転によって、このボルト１４は第二レッグ１２に対して後退する。ボルト１４の後退により、ジョー１８が第一レッグ１０から離れる。ナット１６が締められることにより、ボルト１４の回転が阻止されうる。ボルト１４が、ヘッド３４に代えてアイナットを有してもよい。。
【００２３】
図２に示されるように、クランプ６は、第一爪３６、第二爪３８、軸ピン４０、第一シャフト４２、ボルト４４、第一シリンダー４６、第二シリンダー４８及び通しボルト５０を有している。
【００２４】
第一爪３６には、軸ピン４０が貫通している。第一爪３６は、軸ピン４０を中心として、第一シャフト４２に対して回動しうる。第二爪３８にも、軸ピン４０が貫通している。第一爪３６は、軸ピン４０を中心として、第一シャフト４２に対して回動しうる。
【００２５】
ボルトの一端は、第一爪３６に固定されている。ボルトは、第二爪３８を貫通している。ナット５２が回されることにより、第一爪３６に対する第二爪３８の間隔が調整されうる。
【００２６】
第一シャフト４２は、鋼からなる。第一シャフト４２の外周面には、雄ネジが螺刻されている。第一シリンダー４６は、鋼からなる。図２に示されるように、第一シリンダー４６は左に向かって先細りである。第一シリンダー４６は、その左端近傍に、第三装着部５４を有している。図示されていないが、第三装着部５４の内周面５６には、雌ネジが螺刻されている。この第三装着部５４に第一シャフト４２が螺入されうる。第一シリンダー４６は、位置決め用の穴５８を有している。
【００２７】
第二シリンダー４８は、鋼からなる。第二シリンダー４８は、ボディ６０と第二シャフト６２とを備えている。第二シャフト６２は、溶接により、ボディ６０と一体化されている。ボディ６０は、前側位置決め穴６４及び後側位置決め穴６６を有している。前側位置決め穴６４及び後側位置決め穴６６のいずれかが選択されて、これに通しボルト５０が通される。通しボルト５０は同時に、第一シリンダー４６の穴５８にも通される。この通しボルト５０が、ナット６８に螺入される。前側位置決め穴６４が選択された場合、クランプ６の全長は長い。後側位置決め穴６６が選択された場合、クランプ６の全長は短い。第二シリンダー４８が、軸方向に沿って３以上の位置決め穴を備えてもよい。
【００２８】
図１に示されるように、第二シャフト６２の外主面には、雄ネジが螺刻されている。この第二シャフト６２は、第一装着部２０（図１参照）のナット２２に螺入されうる。螺入により、ブラケット４にクランプ６が装着される。第二シャフト６２はさらに、第二装着部２４のナット２６にも螺入されうる。螺入により、ブラケット４にクランプ６が装着される。
【００２９】
図３には、図１の足場固定具２が用いられた足場構造体が、ベランダ７０と共に示されている。図３には、１つのベランダ７０ａと、このベランダ７０ａのあるフロアよりも１階上のフロアのベランダ７０ｂとが示されている。ベランダ７０は、コンクリート製である。ベランダ７０は、床７２と側壁７４とを有している。側壁７４の高さＨ１は、小さい。このタイプのベランダ７０では、側壁７４に手すりが立てられる。
【００３０】
図３では、第二シャフト６２は、第一装着部２０のナット２２に螺入されている。第一爪３６及び第二爪３８（図２参照）は、縦パイプ７６を把持している。この縦パイプ７６は、足場の一部である。図示されていないが、この縦パイプ７６に横パイプが組まれている。
【００３１】
図３において、左側がベランダ７０の外側であり、右側がベランダ７０の内側である。第一レッグ１０は、ベランダ７０の側壁７４の外側面に当接している。ジョー１８は、この側壁７４の内側面に当接している。ボルト１４が締められることにより、第一レッグ１０とジョー１８とによって、側壁７４が挟持される。この挟持により、ブラケット４がベランダ７０に固定されている。第一レッグ１０と側壁７４との間に、クッションが設けられてもよい。ジョー１８と側壁７４との間に、クッションが設けられてもよい。クッションにより、側壁７４の傷つきが防止される。クッションとしては、ボムパッド及び樹脂パッドが例示される。
【００３２】
側壁７４の高さＨ１は、第二レッグ１２の長さＬ２（図１参照）よりも十分に大きい。従って、ボルト１４の締め付け作業及び緩め作業は、容易になされうる。この作業は、ベランダ７０の床７２の上にいる作業者によってなされる。
【００３３】
図４には、図１の足場固定具２が用いられた他の足場構造体が、ベランダ７８と共に示されている。図３には、１つのベランダ７８ａと、このベランダ７８ａのあるフロアよりも１階上のフロアのベランダ７８ｂとが示されている。ベランダ７８は、コンクリート製である。ベランダ７８は、側壁７４を有している。側壁７４の高さＨ２は、十分に大きい。このタイプのベランダ７８では、側壁７４が腰板の役割を果たす。
【００３４】
図４では、第二シャフト６２は、第二装着部２４のナット２６に螺入されている。第一爪３６及び第二爪３８（図２参照）は、縦パイプ７６を把持している。図４において、左側がベランダ７８の外側であり、右側がベランダ７８の内側である。側壁７４の高さＨ２が第一レッグ１０の長さＬ１（図１参照）よりも大きいので、第一レッグ１０は、側壁７４の内側面に当接しうる。ジョー１８は、この側壁７４の外側面に当接している。ボルト１４が締められることにより、第一レッグ１０とジョー１８とによって、側壁７４が挟持される。この挟持により、ブラケット４がベランダ７８に固定されている。
【００３５】
図４では、ボルト１４は側壁７４よりも外側に位置している。このボルト１４の締め付け作業及び緩め作業は、足場の上にいる作業者によってなされる。従って、足場の上の作業者がベランダ７８に乗り移る必要がない。
【００３６】
ベランダ７８の側壁７４が十分高い場合には、この足場固定具２は、図４に示された状態で使用される。この状態では、足場とベランダ７８との間を作業者が行き来する必要がない。ベランダ７８の側壁７４が低い場合には、この足場固定具２は、図３に示された状態で使用される。この状態では、足場とベランダ７８との間を作業者が行き来する必要がある。
【００３７】
この足場固定具２は、１つのボルト１４及び１つのジョー１８を備えている。側壁７４の締め付けを確実にするため、足場固定具が、ボルト１４及び１つのジョー１８を２以上備えてもよい。
【００３８】
このブラケット４、クランプ６及びパイプ７６を備えた足場構造体が用いられる場合、建物の外壁に穴が開けられる必要がない。従って、穴を開けるときの騒音は生じず、また、穴を埋め戻す必要もない。穴による外壁の損傷も生じない。この足場構造体は、容易に組み立てることができ、容易に解体することができる。
【００３９】
図５は、図１の足場固定具２が用いられた他の足場構造体が示された平面図である。図５において矢印Ａで示されているのは、水平方向である。第一爪３６及び第二爪３８（図２参照）は、横パイプ８０を把持している。この横パイプ８０は、足場の一部である。図示されていないが、この横パイプ８０に縦パイプが組まれている。
【００４０】
図５には、ベランダ７８の上面が示されている。第二レッグ１０は、ベランダ７８の側面と当接している。ジョー１８も、ベランダ７８の側面と当接している。ベランダ７８に塗装が施された場合、第二レッグ１０に当接している部分及びジョー１８に当接している部分は、いわゆる塗り残しとなる。塗料が乾燥した後、図５において二点鎖線で示されている位置に足場固定具２が移動させられる。この移動は、水平移動である。この移動は、横パイプ８０に沿ってなされうる。この移動により、塗り残し部分が露出する。この塗り残し部分に、塗装が施される。
【００４１】
図６は、本発明の他の実施形態に係る足場固定具１０２が示された分解正面図である。この足場固定具１０２の構造は、図１に示された足場固定具の構造とほぼ同一である。但し、この足場固定具１０２は、ナット２２（図１参照）を有していない。換言すれば、この足場固定具１０２は、第一装着部２０（図１参照）を有していない。この足場固定具１０２は、図３に示されたベランダ７０には取り付けられ得ない。この足場固定具１０２は、図４に示されたベランダ７８には取り付けられうる。図４に示されたベランダ７８に取り付けられた場合、固定手段（この例ではボルト１４）の操作が足場に立つ作業者によってなされうる。従って、足場の上の作業者がベランダ７８に乗り移る必要がない。
【産業上の利用可能性】
【００４２】
以上説明された足場固定具は、補修時のみならず、建物の新築時や解体時にも用いられうる。
【符号の説明】
【００４３】
２・・・足場固定具
４・・・ブラケット
６・・・クランプ
８・・・主部
１０・・・第一レッグ
１２・・・第二レッグ
１４・・・ボルト
１８・・・ジョー
２０・・・第一装着部
２４・・・第二装着部
３６・・・第一爪
３８・・・第二爪
４０・・・軸ピン
４２・・・第一シャフト
４４・・・ボルト
４６・・・第一シリンダー
４８・・・第二シリンダー
５０・・・通しボルト
５４・・・第三装着部
６０・・・ボディ
６２・・・第二シャフト
７０、７８・・・ベランダ
【図１】
2011144495.tif 000003
【図２】
2011144495.tif 000004
【図３】
2011144495.tif 000005
【図４】
2011144495.tif 000006
【図５】
2011144495.tif 000007
【図６】
2011144495.tif 000008